(57)【要約】      （修正有）【課題】極めて簡単な操作で確実に一定量の粉粒体を取り出すことができる粉粒体の定量取り出し具を提供する。【解決手段】粉粒体の定量取り出し具１は、コーヒー粉等の粉粒体の一定量を取り出す部材であって、容器本体の開口上端に嵌合組み付けされ、上端に蓋体が被せられる。容器本体上端に組み付けされる下部筒体５の前端下端から中央部内にかけて上昇傾斜する隔壁７を設けて、隔壁７上端と筒壁６後端中央部との間に連通孔８を形成し、上部筒体４の後端上端から中央部にかけて頂壁１１を庇状に設け、且つ頂壁１１前端から前方に下降傾斜するガイド壁１２を垂下設し、更にガイド壁１２の下端から前方にかけて上昇傾斜する注出壁１３を反転設して筒体上端前端に注出孔１４を形成し、隔壁７とガイド壁１２との間に通路１６を形成した。【選択図】図４
0003231307.tif 000002
【実用新案登録請求の範囲】
【請求項１】
コーヒー粉等の粉粒体の一定量を取り出す部材であって、粉粒体を収納する容器本体（２）上端に嵌合組み付けされる筒体の筒壁（６）前端下端から中央部内にかけて上昇傾斜する隔壁（７）を設けて、該隔壁（７）上端と前記筒壁（６）後端中央部との間に連通孔（８）を形成し、前記筒体の後端上端から中央部にかけて頂壁（１１）を庇状に設け、且つ該頂壁（１１）前端から前方に下降傾斜するガイド壁（１２）を垂下設し、更に該ガイド壁（１２）の下端から前方にかけて上昇傾斜する注出壁（１３）を反転設して前記筒体上端前端に注出孔（１６）を形成し、前記隔壁（７）とガイド壁（１２）との間に通路（１６）を形成したことを特徴とする粉粒体の定量取り出し具。
【請求項２】
筒体を上部筒体（４）と下部筒体（５）とを嵌合組み付けする構成とし、頂壁（１１）前端から前方に下降傾斜して垂下設するガイド壁（１２）の下端を、前記上部筒体（４）の前方部内に延出すると共に、前端下端から中央部上端にかけて上昇傾斜する隔壁（７）の上端を前記下部筒体（５）の中央部上端に延出させたことを特徴とする請求項１に記載の粉粒体の定量取り出し具。
【考案の詳細な説明】
【技術分野】
【０００１】
本考案は、容器に収納されたコーヒー粉、砂糖、塩、更には粉石鹸等の粉粒体の一定量を確実に出すことのできる取り出し具に関するものである。
【背景技術】
【０００２】
コーヒー粉、砂糖、塩、更には粉石鹸等の粉粒体は、湿気を防ぐために所定の容器にできるだけ空気に晒さないようにしながら収納保管されており、必要に応じてスプーンで取り出していた。また、ポット形状の容器自体を傾けて注出開口部から取り出すこともある。
【０００３】
処が、一度の操作での取り出し量が常に一定であるとは限らないので、例えば一杯のコーヒーを淹れるためのコーヒー粉の分量、或いは、味付けのための砂糖や塩の分量がまちまちとなり、味覚が異なって甚だ不都合である。
【０００４】
このような不都合を避けるため、取り出し具として計量スプーンを用いることもある。しかしながら、このようなスプーンによるときは、例えばコーヒードリッパーに入れる際に一部を周囲にこぼしてしまったりして、汚してしまったり正確な分量に足らなかったりするといったことがある。
【０００５】
また、容器内に直接スプーンを差し入れて粉等を掬うので、異物が混入したり、スプーンが濡れていたために品質を落としたりしてしまうといった不都合もある。そこで一定量の粉粒体を確実に取り出すための容器が以下の如く提案されている。
【先行技術文献】
【特許文献】
【０００６】
【特許文献１】特許第３５２３６０４号公報
【特許文献２】特許第６０７８６８０号公報
【特許文献３】特許第６３７２０４４号公報
【考案の概要】
【考案が解決しようとする課題】
【０００７】
この特許文献１の発明「粉体定量取り出し容器」は、容器内に小径の取り出し管を配し、複数の板状体で区画された空間に収納された定量の粉を取り出すことができるようにした構成であるが、構造が複雑で取り扱いにくいことが推測される。
【０００８】
また特許文献２の発明「調節容器」は、粉体を収納する容器に被せられる漏斗状に蓋体に注ぎ口を有する内筒を配し、内筒の下端に調節筒を嵌め込んだ構成であるが、構造が複雑で且つ操作に手間のかかるものになっている。
【０００９】
更には特許文献３の発明「粉粒体の小出し容器」は、容器の一部に斜めに吐出管を貫通設した構成であるが、容器の内の吐出管先端のスコップ型の杓子に粉体が確実に流入できない問題がある。
【００１０】
よって本考案は、上述した従来技術の欠点、不都合、不満を解消するべく開発された粉粒体の定量取り出し具であって、誰もが極めて簡単な操作で確実に一定量の粉粒体を取り出すことができるようにすることを目的とする。
【課題を解決するための手段】
【００１１】
上記課題を解決するため、本考案は、コーヒー粉等の粉粒体の一定量を取り出す部材であって、粉粒体を収納する容器本体上端に嵌合組み付けされる筒体の筒壁前端下端から中央部内にかけて上昇傾斜する隔壁を設けて、この隔壁上端と前記した筒壁後端中央部との間に連通孔を形成し、前記した筒体の後端上端から中央部にかけて頂壁を庇状に設け、且つこの頂壁前端から前方に下降傾斜するガイド壁を垂下設し、更にこのガイド壁の下端から前方にかけて上昇傾斜する注出壁を反転設して前記した筒体上端前端に注出孔を形成し、前記した隔壁とガイド壁との間に通路を形成したことを特徴とする構成である。
【００１２】
この場合、筒体を上部筒体と下部筒体とを嵌合組み付けする構成とし、頂壁前端から前方に下降傾斜して垂下設するガイド壁の下端を、前記した上部筒体の前方部内に延出すると共に、前端下端から中央部上端にかけて上昇傾斜する隔壁の上端を前記した下部筒体の中央部上端に延出させたことを特徴とする。
【考案の効果】
【００１３】
上記した本考案の粉粒体の定量取り出し具にあっては、筒体の筒壁前端下端から中央部内にかけて上昇傾斜する隔壁から連通孔、次いで筒体の後端上端から中央部にかけての庇状の頂壁、次いで頂壁前端から前方に下降傾斜するガイド壁、隔壁とガイド壁との間に形成される通路、更にガイド壁の下端から前方にかけて上昇傾斜する注出壁、筒体上端前端に形成される注出孔、をもって蛇行する流出路が形成される。
【００１４】
それ故に、粉粒体を収納した容器本体を倒立に近く前方に傾けると、粉粒体は隔壁に沿って連通に流れ、倒立状態では頂壁によって形成される一定容量の空間に流れ落ちて貯留される。次いで全体を正立近くに後方に復帰させると、粉粒体の殆どは容器本体内に戻るものの、一定容量の空間に貯留していた所定量の粉粒体は通路を通って隔壁上面の空間に流入して待機する。そして再度容器本体を倒立させると、待機していた粉粒体のみが注出孔から外部に流出し、同時に容器本体内の粉粒体は貯留空間に流れ落ち、この流通が繰り返されるのである。
【００１５】
よって、容器全体を反転倒立、反転成立の操作をするだけで確実に一定量の粉粒体を取り出すことができ、構成が簡単であって成型が容易である等、本考案は多くの優れた作用効果を奏する。
【図面の簡単な説明】
【００１６】
【図１】本考案にかかる粉粒体の定量取り出し具を含む容器全体の斜視図である。
【図２】考案にかかる粉粒体の定量取り出し具の斜視図である。
【図３】（ａ）は上部筒体の斜視図、（ｂ）は下部筒体の斜視図である。
【図４】（ａ）はＡ−Ａ線断面図、（ｂ）はＢ−Ｂ線断面図である。
【図５】操作過程を示す簡略断面図である。
【図６】操作過程を示す簡略断面図である。
【図７】操作過程を示す簡略断面図である。
【図８】操作過程を示す簡略断面図である。
【考案を実施するための形態】
【００１７】
本考案の粉粒体の定量取り出し具１は、粉粒体を収納する容器本体２の上端に嵌合組み付けされる筒体１の筒壁６の前端下端から中央部内にかけて上昇傾斜する隔壁７を設けて、この隔壁７上端と前記した筒壁６後端中央部との間に連通孔８を形成し、前記した筒体１の後端上端から中央部にかけて頂壁１１を庇状に設け、且つこの頂壁１１前端から前方に下降傾斜するガイド壁１２を垂下設し、更にこのガイド壁１２の下端から前方にかけて上昇傾斜する注出壁１３を反転設して前記した筒体１の上端前端に注出孔１４を形成し、前記した隔壁７とガイド壁１２との間に通路１６を形成した構成である。
【実施例】
【００１８】
本願考案の粉粒体の定量取り出し具１は容器本体２の開口上端に嵌合組み付けされ、上端に蓋体３が被せられる合成樹脂製であり、成型上の理由で上部筒体４と下部筒体５とを嵌合組み付けした構成とし(図１参照)、容器本体２内にはコーヒー粉、茶葉、砂糖、塩、更には粉石鹸等の湿気を避けたい粉粒体を収納する。
【００１９】
下部筒体５内にあって、円筒形状の筒壁６の前端の下端から中央部上端にかけては上昇傾斜する隔壁７が設けられていて、隔壁７上端と筒壁６後端との間に連通孔８が形成される。また隔壁７上面と筒壁６内面との間には待機空間９が形成される。
【００２０】
下部筒体５の上端に嵌合組み付けされる上部筒体４の上端には、円筒形状の筒壁１０の後端から中央部にかけて庇状に頂壁１１が設けられ、頂壁１１の前端からは前方に下降傾斜するガイド壁１２が垂下設され、更にこのガイド壁１２の下端からは前方にかけて上昇傾斜する注出壁１３が反転設され、上端に注出孔１４が形成される。この結果、筒壁１０内の内面と頂壁１１の下面とガイド壁１２の内面とによって貯留空間１５が形成され、隔壁７とガイド壁１２との間に通路１６が形成される。
【００２１】
上述した構成にあって、例えばコーヒー粉を一定量取り出す過程を示すならば、図５（ａ）は容器本体２内に例えばコーヒー粉を収納して粉粒体の定量取り出し具１及び蓋体３を組み付けた正立状態の概略断面を示しており、この状態から図５（ｂ）のように全体を倒立に近く前方に傾けると、容器本体２内のコーヒー粉は隔壁７に沿って連通孔８に流れ、図６（ａ）の倒立状態では貯留空間１５に流れ落ちる。
【００２２】
次いで図６（ｂ）のように全体を正立近くに後方に復帰させると、コーヒー粉の殆どは容器本体２内に戻るものの、貯留空間１５内の所定量のコーヒー粉は通路１６を通って待機空間９に落ち込み、説明図５の正立状態では待機空間９内に一杯分である所定量のコーヒー粉が待機する。
【００２３】
そこで、実際にコーヒーを淹れる際には、蓋体３を外して注出孔１４を開放し、図５（ｂ）と同様に図７（ｂ）の如く傾けると、待機空間９内のコーヒー粉は注出孔１４から流出して例えばコーヒードリッパーに注がれ、同時に、図８の如く容器本体２内のコーヒー粉は貯留空間１５に流れ落ちるのである。
【符号の説明】
【００２４】
１  粉粒体の定量取り出し具
２  容器本体
３  蓋体
４  上部筒体
５  下部筒体
６  筒壁
７  隔壁
８  連通孔
９  待機空間
１０  筒壁
１１  頂壁
１２  ガイド壁
１３  注出壁
１４  注出孔
１５  貯留空間
１６  通路
【図１】
0003231307.tif 000003
【図２】
0003231307.tif 000004
【図３】
0003231307.tif 000005
【図４】
0003231307.tif 000006
【図５】
0003231307.tif 000007
【図６】
0003231307.tif 000008
【図７】
0003231307.tif 000009
【図８】
0003231307.tif 000010